(57)【特許請求の範囲】
【請求項１】
レンズを保持し、かつコイルを保有する可動部と、この可動部を支持する固定部とから成り、該可動部及び固定部がガラス繊維のフィラーを含有する樹脂により成形されており、前記可動部と固定部との間は該可動部が略平行移動するためのリンク機構を構成する金属板バネ材から成る４本のバネ状サスペンションにより連結され、このサスペンションは前記コイルへの通電機能を有すると共にその両端側が前記可動部及び固定部にインサート成形されてなる光ピックアップ用樹脂成形品において、
前記可動部は、その左右両側に各２本の上記サスペンションの端部がインサート成形されるＬ字状壁を持ち、そのコーナー外側面及び／又は内側面に、樹脂収縮による該Ｌ字状壁の倒れを防止するための凹形状部を設け、
前記固定部は、その左右両端付近に各２本の上記サスペンションの端部がインサート成形され、前記可動部に対向する側を内側面とし、この内側面略中央域に樹脂流入ゲートが配置され、この内側面の該ゲートの左右両側方に上下方向中間部を残して肉盗み部を設け、外側面に上下方向に延びる肉盗み部を設け、これら肉盗み部でもって樹脂収縮による該固定部の内側面が縮む方向の反りを防止するようにしたことを特徴とする光ピックアップ用樹脂成形品。
【発明の詳細な説明】
【０００１】
【発明の属する技術分野】
本発明は、光ディスクプレーヤ等に用いられる光ピックアップ用樹脂成形品に関し、特に、成形の流動方向に収縮差が生じる樹脂を使用した場合の変形防止技術に関する。
【０００２】
【従来の技術】
従来から、樹脂の強度、耐熱姓の向上を図るために、ガラス繊維等のフィラーを含有する樹脂により成形された樹脂成形品が知られている。この種の樹脂成形品として、光ピックアップ用のレンズ及びコイルが搭載される可動部と、この可動部を支持する固定部とから成る光ピックアップ装置がある。この装置においては、可動部と固定部との間は可動部が平行移動するためのリンク機構を構成する４本の金属板バネ製サスペンションにより連結され、このサスペンションは、その両端側が可動部及び固定部にインサート成形されており、可動部の支持の他、コイルへの通電部材としても機能する。また、可動部及び固定部はピックアップユニットに組み込まれ、可動部は固定磁石に対面し、コイルへの通電により可動部が移動しフォーカス調整が行われるようになっている。
【０００３】
このような光ピックアップ装置において、樹脂成形される可動部は、その左右両側に各２本のサスペンションの端部がインサート成形されるＬ字状壁を持ち、固定部は、左右方向に伸び、その両端付近に上記各２本のサスペンションの他端部がインサート成形されており、可動部は可能な限り平行移動することが望まれる。
【０００４】
【発明が解決しようとする課題】
しかしながら、上記可動部及び固定部の樹脂成形条件や、サスペンションのインサート成形の仕方によって、成形時の樹脂流動方向により、特に、成形樹脂中にガラス繊維等のフィラーを含有している場合、大きな収縮差が生じることから、可動部のＬ字状壁が微少ではあるが傾いたり（以下、「倒れ」と言う）、固定部を構成するブロックの可動部対向面側を内側として（この内側面略中央域に樹脂流入ゲートが配置されている場合）、湾曲したりする（以下、「反り」と言う）。光ピックアップ装置においては、上記の可動部及び固定部の倒れや反りが大きくなると、可動部の姿勢が傾いたり位置がずれたり、許容公差内での平行移動を保証できなくなり、その結果、光ピックアップの所要の特性が得られなくなって不良品となり、歩留まり低下につながる。また、この問題は、光ピックアップ装置に限られることなく、各種の樹脂成形品に起こり得ることである。
【０００５】
本発明は、上述した問題点を解決するためになされたものであり、光ピックアップ用樹脂成形品であって、成形樹脂中にガラス繊維等のフィラーを含有していて成形時の流動方向に大きな収縮差が生じる樹脂を用いる場合に、該収縮差に起因する成形品の壁部材の倒れやブロックの反り発生を防止し、歩留まりの向上を図ることを目的とする。特に、光ピックアップ用樹脂成形品が可動部と固定部から構成され、両部間がインサート成形されたバネ状部材で連結され、可動部が平行移動可能な構成とされている場合に、可動部を傾きなく適正位置に支持することができ、しかも、許容範囲内での平行移動を保証する確率を高めることを目的とする。
【０００６】
【課題を解決するための手段及び発明の効果】
上記目的を達成するために請求項１に記載の発明は、レンズを保持し、かつコイルを保有する可動部と、この可動部を支持する固定部とから成り、該可動部及び固定部がガラス繊維のフィラーを含有する樹脂により成形されており、前記可動部と固定部との間は該可動部が略平行移動するためのリンク機構を構成する金属板バネ材から成る４本のバネ状サスペンションにより連結され、このサスペンションは前記コイルへの通電機能を有すると共にその両端側が前記可動部及び固定部にインサート成形されてなる光ピックアップ用樹脂成形品において、前記可動部は、その左右両側に各２本の上記サスペンションの端部がインサート成形されるＬ字状壁を持ち、そのコーナー外側面及び／又は内側面に、樹脂収縮による該Ｌ字状壁の倒れを防止するための凹形状部を設け、前記固定部は、その左右両端付近に各２本の上記サスペンションの端部がインサート成形され、前記可動部に対向する側を内側面とし、この内側面略中央域に樹脂流入ゲートが配置され、この内側面の該ゲートの左右両側方に上下方向中間部を残して肉盗み部を設け、外側面に上下方向に延びる肉盗み部を設け、これら肉盗み部でもって樹脂収縮による該固定部の内側面が縮む方向の反りを防止するようにしたものである。
【０００７】
上記構成においては、Ｌ字状壁の樹脂が収縮する際に、樹脂流動方向と直角方向である壁の中心側に向けて収縮することから、コーナー内側は隙間ができる（引っ張られる）ような樹脂挙動となり、外側はダブる（突っ張る）ような樹脂挙動となるが、コーナー外側面及び／又は内側面に凹形状部があることにより、樹脂挙動が変わって樹脂収縮時の応力（引っ張り又は突っ張り）の発生を防止することができる。その結果、Ｌ字状壁の倒れがなくなり、可動部は適正に支持され、正常な平行移動が可能となり、光ピックアップの所要の性能を保証でき、成形品の歩留まりが向上する。
【０００９】
上記構成においては、成形時に固定部の可動部と対向する内側面略中央域のゲートから樹脂が流入すると、この樹脂は外側面を区画する壁に当たり、壁に沿って流れる。そのため、フィラーを含有する樹脂の挙動配向が外側と内側とで異なり、外側面での左右方向での収縮よりも内側面での収縮が大きくなろうとするが、外側面に上下方向に延びる肉盗み部があることにより、樹脂は外側面を区画する壁に当たって内側に向かって戻るように挙動する。これと、内側面のゲートの左右両側方に上下方向中間部を残して肉盗み部を設けて上下方向の肉厚を薄くしたことにより、内側面での樹脂収縮が小さくなり、内側面が縮むことによる反りを防止することができ、上記と同様の作用効果が得られる。
【００１２】
【発明の実施の形態】
以下、本発明の一実施形態に係る樹脂成形品について図面を参照して説明する。図１は、Ｌ字状壁を有する樹脂成形品１の外観と、そのコーナー部２におけるガラス繊維等のフィラーを含有する樹脂の配向を示す。この例は、後述の光ピックアップの可動部に相当する。樹脂成形品１は、不図示の金型内のキャビティにフィラー３を含有する樹脂を流入・充填させて成形する。フィラー３を含有する樹脂は、成形の流動方向により樹脂の配向が顕著となり、フィラー３は、図２に示すように、樹脂の流れ（ｘ方向）に沿って配向する。そのため、樹脂の冷却により大きな収縮差が生じ、樹脂の流れ方向（ｘ方向）では、フィラー３が邪魔することにより収縮は小さく、これに直交する方向（ｙ方向）での収縮が大きくなる（すなわち、異方性を呈することになる）。
【００１３】
このため、Ｌ字状壁を有する樹脂成形品１では、樹脂が収縮する際に、コーナー部２の内側は、図３の矢印ａで示すように、壁に対して中心側に平行に収縮し、ｃ部に隙間ができるような樹脂挙動を呈し、また、外側は、図３の矢印ｂで示すように収縮し、ｄ部がダブるような樹脂挙動を呈する。その結果、内側は引っ張られ、外側は突っ張るような応力が働き、壁が内側に倒れる。そこで、その対策として、図４に示すように、Ｌ字状壁１ａのコーナー部２の外側面及び／又は内側面に凹形状部４，５を設ける。これにより、図３で示した応力の発生を防止し、樹脂収縮によるＬ字状壁１ａの「倒れ」を防止することができる。
【００１４】
図５は、樹脂成形品の他の例として、樹脂成形ブロック６の内側面略中央域に配置された流入ゲート７からガラス繊維等のフィラーを含有する樹脂を不図示のキャビティに流入させて成形した場合の樹脂の流れを示す。この例は、後述の光ピックアップの固定部に相当する。成形時にブロック６の内側面略中央域のゲート７から樹脂が流入すると、この樹脂は外側面を区画する壁に当たり、矢印で示すように、壁に沿って流れる。そのため、フィラー３を含有する樹脂の挙動配向が外側（ｃ）と内側（ｄ）とで異なり、外側面での左右方向（ｘ方向）での収縮は小さく、逆に内側面での同方向の収縮が大きくなる。その結果、図７に示すように内側面が縮む「反り」が発生する。
【００１５】
そこで、その対策として、図６に示すように、外側面に上下方向に延びる凹形状切り欠き（肉盗み部）８を設ける。これにより、樹脂は、矢印で示すように、外側面を区画する壁に当たって内側に向かって戻るように挙動する。このため、フィラー３の配向が変わり（ｇ）、外側面での樹脂収縮を大きくし、内側面が縮む「反り」を防止することができる。また、内側面のゲート７の左右両側方に上下（紙面上で垂直）方向中間部を残して凹形状切り欠き（肉盗み部…斜線で示す）９を設けて上下方向の肉厚を薄くした。これにより、樹脂収縮による内側面が縮む方向の「反り」を防止することができる。
【００１６】
図８及び図９は、光ピックアップ用樹脂成形品の表面側と裏面側の外観を示し、図１０はその表面及び側面を示し、図１１はその裏面及び側面を示し、図１２、図１３はＡ−Ａ断面、Ｂ−Ｂ断面を示す。光ピックアップ用樹脂成形品は、不図示のレンズを保持し、かつコイルを保有する可動部１１と、この可動部１１を支持する固定部１２とから成り、ガラス繊維等のフィラーを含有する樹脂により成形されている。可動部１１と固定部１２との間は、可動部１１が略平行移動するためのリンク機構を構成する、左右一対で上下に配置された計４本の金属板バネ材から成るサスペンション１３（細幅であるので図では線で表示）により連結されている。これらサスペンション１３はコイルへの通電機能を有すると共にその両端側が可動部１１及び固定部１２にインサート成形される。
【００１７】
この光ピックアップ用樹脂成形品の製造工程では、上下金型内にサスペンション１３部を打ち抜き形成した金属板１４を挟み込み、金型のキャビティに樹脂を充填することにより、可動部１１及び固定部１２を成形する。これにより、サスペンション１３はインサート成形される。なお、金属板１４の外周枠部は最終的に切り離される。
【００１８】
可動部１１は、その左右両側に各２本のサスペンション１３の一端部がインサート成形される一対のＬ字状壁１５を持つ。樹脂流入ゲート１６は可動部１１の裏面側に配置されている。Ｌ字状壁１５のコーナー外側裏面（図示していないが、内側面でもよい）に、凹形状部１７を設けた。この凹形状部１７は、上述した図４の凹形状部５と同等物である。これを設けたことにより、上述と同等の作用により、樹脂収縮によるＬ字状壁１５の「倒れ」を防止するようにした。
【００１９】
また、固定部１２は、そのブロックの左右両端付近に各２本のサスペンション１３の他端部がインサート成形され、可動部１１に対向する側を内側面とし、この内側面略中央域に樹脂流入ゲート１８が配置され、この内側面のゲート１８の左右両側方に上下方向中間部１９ａを残して肉盗み部１９を設け、外側面で中央部から少し左右に離れた位置に上下方向に延びる肉盗み部２０を設けている。肉盗み部１９，２０は、それぞれ上述した図６の肉盗み部９，８と同等物である。これら肉盗み部１９，２０でもって、上述と同等の作用により、樹脂収縮による固定部１２の内側面が縮む方向の「反り」を防止するようにした。左右一対のサスペンション１３は、可動部１１側が狭くなる「ハの字」状（上面視）に設けられ、上側辺と下側辺とは、側面視で平行四辺形状とされている。
【００２０】
本実施形態の光ピックアップにおいては、可動部１１のＬ字状壁１５の樹脂が収縮する際に、コーナー内側は引っ張られ、外側は突っ張るような応力が発生しようとするが、コーナー外側面及び／又は内側面に凹形状部１７があることにより、樹脂挙動が変わって樹脂収縮時の応力の発生を防止することができる。その結果、Ｌ字状壁１５の「倒れ」がなくなる。また、成形時に固定部１２の内側面略中央域のゲート１８から樹脂が流入されると、この樹脂は外側面の壁に当たり、壁に沿って流れようとするが、外側面に上下方向に延びる肉盗み部２０があることにより、樹脂は外側面の壁に当たって内側に向かって戻るように挙動する。さらにまた、内側面のゲート１８の左右両側方に上下方向中間部１９ａを残して肉盗み部１９を設け、上下方向の肉厚を薄くしたので、内側面での樹脂収縮が小さくなり、内側面が縮むことによる「反り」がなくなる。
【００２１】
かくして、４本のサスペンション１３は、平行四辺形状のバランスが狂うことがなくなり、可動部１１を傾いたり位置ずれしたりすることなく正しく支持でき、正常なリンク機構の働きをして、可動部１１を公差範囲内で平行移動させることが可能となり、光ピックアップの所要の性能（フォーカス等）を保証することができ、成形品の歩留まりが向上する。
【００２２】
なお、本発明は上記実施の形態の構成に限られず種々の変形が可能である。例えば、上記実施の形態では、光ピックアップの場合を主として説明したが、その他の樹脂成形品に適用可能である。また、上記実施形態のように、Ｌ字壁を有する可動部１１とブロック状の固定部１２の両者に対策を施したものが最も望ましい効果が得られるが、いずれか一方に対策を施すだけでも、その他の成形条件が好ましい状況では、所要の効果が得られる。また、成形樹脂中にガラス繊維等のフィラーを含有している場合を説明したが、本発明は、樹脂にフィラーを含有していなくとも、実質上、同等の特性を有していて大きい収縮差が生じる樹脂を用いる場合をも含む。また、サスペンション１３は、可動部１１側が狭くなる「ハの字」状のものを示したが、上面視で平行に配置されるものであっても適用可能である。
【図面の簡単な説明】
【図１】  本発明が適用されるＬ字状壁を有する樹脂成形品の外観と、そのコーナー部におけるガラス繊維等のフィラーを含有する樹脂の配向を示す図。
【図２】  上記樹脂成形品における樹脂配向を示す図。
【図３】  上記樹脂成形品における樹脂の収縮を説明する図。
【図４】  上記樹脂成形品に本発明を実施した場合の構成図。
【図５】  本発明が適用される樹脂成形品の他の例を説明する図。
【図６】  上記樹脂成形品に本発明を実施した場合の構成図。
【図７】  本発明が実施されない場合の樹脂成形品を示す図。
【図８】  本発明が適用された光ピックアップ用の樹脂成形品の表面側斜視図。
【図９】  同ピックアップ用の樹脂成形品の裏面側斜視図。
【図１０】  同ピックアップ用の樹脂成形品の平面図及び側面図。
【図１１】  同ピックアップ用の樹脂成形品の裏面図及び側面図。
【図１２】  図１１のＡ−Ａ断面図。
【図１３】  図１１のＢ−Ｂ断面図。
【符号の説明】
１  樹脂成形品
１ａ  Ｌ字状壁
２  コーナー部
３  フィラー
４，５  凹形状部
６  樹脂成形ブロック
７  樹脂流入ゲート
８，９  凹形状切り欠き（肉盗み部）
１１  可動部
１２  固定部
１３  サスペンション
１５  Ｌ字状壁
１６  樹脂流入ゲート
１７  凹形状部
１９ａ  上下方向中間部
１９，２０  肉盗み部
【図１】
0004076703.tif 000002
【図２】
0004076703.tif 000003
【図３】
0004076703.tif 000004
【図４】
0004076703.tif 000005
【図５】
0004076703.tif 000006
【図６】
0004076703.tif 000007
【図７】
0004076703.tif 000008
【図８】
0004076703.tif 000009
【図９】
0004076703.tif 000010
【図１０】
0004076703.tif 000011
【図１１】
0004076703.tif 000012
【図１２】
0004076703.tif 000013
【図１３】
0004076703.tif 000014